(57)【要約】【課題】紫外線又は青色の放電発光管を備える蛍光発光部材の輝度改善構造を提供する。【解決手段】側面に光反射被覆層１１が塗布され、紫外線または青色光を発生する発光体１０と、発光体１０外周に設けられ、発光体１０の被覆層１１が設けられた位置に相対する下方の内周面に主可視光層２１が設けられた外カバー２０とから構成され、発光体１０が生成する紫外線または青色光が外カバー２０の主可視光層２１に照射されて可視光または白色光が生成され、被覆層１１が紫外線が人体への傷害を及ぼすのを阻止し、同時に可視光を生成して発光部材の輝度を高めることができる。【選択図】  図６
0003125950.tif 000002
【実用新案登録請求の範囲】
【請求項１】
発光体および外カバーを備え、
前記発光体は、紫外線または青色光を生成する棒状の管体から構成され、前記発光体の上方周面には被覆層が設けられ、
前記外カバーは、前記棒状の発光体の外周を囲む棒状の管体であり、前記発光体の被覆層が設けられた位置に相対する下方の内周面には主可視光層が設けられ、前記主可視光層の面積は前記発光体の投影面積をカバーする面積とし、前記主可視光層と前記被覆層が設けられた発光体との間には適当な距離が設けられ、前記距離は発光体が生成する紫外線または青色光が前記主可視光層上を照射して可視光を生成し、前記可視光が前記被覆層に遮蔽されないのに十分な距離であることを特徴とする紫外線または青色光の放電発光管を備える発光部材の輝度改善構造。
【請求項２】
前記被覆層は、前記発光体の上方内周面に設けられ、
前記主可視光層は蛍光剤層、燐光層または内側面に蛍光剤層または燐光層が塗布された光反射層であることを特徴とする請求項１記載の紫外線または青色光の放電発光管を備える発光部材の輝度改善構造。
【請求項３】
前記被覆層は、光反射層であることを特徴とする請求項２記載の紫外線または青色光の放電発光管を備える発光部材の輝度改善構造。
【請求項４】
前記被覆層は、蛍光剤層または燐光層であることを特徴とする請求項２記載の紫外線または青色光の放電発光管を備える発光部材の輝度改善構造。
【請求項５】
前記被覆層は、さらに、前記蛍光剤層または燐光層の下側表面に設けられ、複数の孔を備える光反射層を備えることを特徴とする請求項４記載の紫外線または青色光の放電発光管を備える発光部材の輝度改善構造。
【請求項６】
前記被覆層は、前記発光体の上方外周面に設けられ、
前記主可視光層は、蛍光剤層、燐光層または内側面に蛍光剤層または燐光層が塗布された光反射層であることを特徴とする請求項１記載の紫外線または青色光の放電発光管を備える発光部材の輝度改善構造。
【請求項７】
前記被覆層は、光反射層であることを特徴とする請求項６記載の紫外線または青色光の放電発光管を備える発光部材の輝度改善構造。
【請求項８】
前記光反射層には、複数の孔が設けられ、前記複数の孔の部分には蛍光剤層または燐光層が塗布されることを特徴とする請求項７記載の紫外線または青色光の放電発光管を備える発光部材の輝度改善構造。
【請求項９】
前記被覆層は、前記発光層を被覆する透明カバーであって、その表面には蛍光剤層または燐光層が塗布されることを特徴とする請求項６記載の紫外線または青色光の放電発光管を備える発光部材の輝度改善構造。
【請求項１０】
前記被覆層の下方には、複数の孔を備える光反射層が設けられることを特徴とする請求項９記載の紫外線または青色光の放電発光管を備える発光部材の輝度改善構造。
【請求項１１】
前記被覆層は、前記発光体を被覆する透明カバーであって、前記透明カバーはその表面に複数の孔を備える光反射層が設けられる以外に、前記複数の孔の部分には蛍光剤層または燐光層が塗布されることを特徴とする請求項６記載の紫外線または青色光の放電発光管を備える発光部材の輝度改善構造。
【請求項１２】
前記発光部材の外観形状は、棒状の管体、Ｕ字型の管体、環状の管体、平面螺旋状の管体、立体螺旋状の管体または円錐螺旋状の管体であることを特徴とする請求項１から１１のいずれか１項記載の紫外線または青色光の放電発光管を備える発光部材の輝度改善構造。
【請求項１３】
前記発光体の断面は、円形断面、半円形断面、三角形断面、矩形断面または多辺形断面であることを特徴とする請求項１２記載の紫外線または青色光の放電発光管を備える発光部材の輝度改善構造。
【請求項１４】
前記外カバーの断面は、円形断面、半円形断面、三角形断面、矩形断面または多辺形断面であることを特徴とする請求項１３記載の紫外線または青色光の放電発光管を備える発光部材の輝度改善構造。
【請求項１５】
前記外カバーの外周面上には、紫外線吸収カバーが設けられることを特徴とする請求項１４記載の紫外線または青色光の放電発光管を備える発光部材の輝度改善構造。
【請求項１６】
前記発光体は、石英ガラスの基材から製造されることを特徴とする請求項１５記載の紫外線または青色光の放電発光管を備える発光部材の輝度改善構造。
【請求項１７】
少なくとも一つの発光体および外カバーを備え、
前記少なくとも一つの発光体は、紫外線または青色光を生成する棒状の管体から構成され、前記少なくとも一つの発光体の上方周面には被覆層が設けられ、
前記外カバーは、上部開口を備えた箱体から構成され、前記外カバーの底部上方には少なくとも一つの発光体が設けられ、底部および各内側面上には主可視光層が設けられ、前記主可視光層の面積は前記発光体の投影面積をカバーする面積とし、前記主可視光層と前記被覆層が設けられた発光体との間には適当な距離が設けられ、前記距離は発光体が生成する紫外線または青色光が前記主可視光層上を照射して可視光を生成し、前記可視光が前記被覆層に遮蔽されないのに十分な距離であることを特徴とする紫外線または青色光の放電発光管を備える発光部材の輝度改善構造。
【請求項１８】
前記被覆層は、前記発光体の上方内周面に設けられ、前記主可視光層は蛍光剤層、燐光層または内側面に蛍光剤層または燐光層が塗布された光反射層であることを特徴とする請求項１７記載の紫外線または青色光の放電発光管を備える発光部材の輝度改善構造。
【請求項１９】
前記被覆層は、光反射層であることを特徴とする請求項１８記載の紫外線または青色光の放電発光管を備える発光部材の輝度改善構造。
【請求項２０】
前記被覆層は、蛍光剤層または燐光層であることを特徴とする請求項１８記載の紫外線または青色光の放電発光管を備える発光部材の輝度改善構造。
【請求項２１】
前記被覆層は、さらに、前記蛍光剤層または燐光層の内側表面に設けられ、複数の孔を備える光反射層を備えることを特徴とする請求項２０記載の紫外線または青色光の放電発光管を備える発光部材の輝度改善構造。
【請求項２２】
前記被覆層は、前記発光体の上方外周面に設けられ、前記主可視光層は、蛍光剤層、燐光層または内側面に蛍光剤層または燐光層が塗布された光反射層であることを特徴とする請求項１７記載の紫外線または青色光の放電発光管を備える発光部材の輝度改善構造。
【請求項２３】
前記被覆層は、光反射層であることを特徴とする請求項２２記載の紫外線または青色光の放電発光管を備える発光部材の輝度改善構造。
【請求項２４】
前記光反射層には、複数の孔が設けられ、前記複数の孔の部分には蛍光剤層または燐光層が塗布されることを特徴とする請求項２３記載の紫外線または青色光の放電発光管を備える発光部材の輝度改善構造。
【請求項２５】
前記被覆層は、前記発光層を被覆する透明カバーであって、その表面には蛍光剤層または燐光層が塗布されることを特徴とする請求項２２記載の紫外線または青色光の放電発光管を備える発光部材の輝度改善構造。
【請求項２６】
前記被覆層の下方には、複数の孔を備える光反射層が設けられることを特徴とする請求項２５記載の紫外線または青色光の放電発光管を備える発光部材の輝度改善構造。
【請求項２７】
前記被覆層は、前記発光体を被覆する透明カバーであって、前記透明カバーはその表面に複数の孔を備える光反射層が設けられる以外に、前記複数の孔の部分には蛍光剤層または燐光層が塗布されることを特徴とする請求項２２記載の紫外線または青色光の放電発光管を備える発光部材の輝度改善構造。
【請求項２８】
前記外カバーの底部の横断面は、錐形断面、円弧断面、多辺断面または連続した円弧断面であることを特徴とする請求項１７から２７のいずれか１項記載の紫外線または青色光の放電発光管を備える発光部材の輝度改善構造。
【請求項２９】
前記発光体の断面は、円形断面、半円形断面、三角形断面、矩形断面または多辺形断面であることを特徴とする請求項２８記載の紫外線または青色光の放電発光管を備える発光部材の輝度改善構造。
【請求項３０】
前記発光体の形状は、真っ直ぐな棒状の管体、Ｕ字型の管体、環状の管体または複数の湾曲部を備える管体であることを特徴とする請求項２９記載の紫外線または青色光の放電発光管を備える発光部材の輝度改善構造。
【請求項３１】
前記外カバーの外周面上には、紫外線吸収カバーが設けられることを特徴とする請求項３０記載の紫外線または青色光の放電発光管を備える発光部材の輝度改善構造。
【請求項３２】
前記発光体は、石英ガラスの基材から製造されることを特徴とする請求項３１記載の紫外線または青色光の放電発光管を備える発光部材の輝度改善構造。
【請求項３３】
少なくとも一つの発光体、透明カバーおよび外カバーを備え、
前記少なくとも一つの発光体は、紫外線または青色光を生成する棒状の管体から構成され、
前記透明カバーは、前記各発光体をそれぞれ被覆し、上方に突出した少なくとも一つの収容凹部を備え、前記少なくとも一つの収容凹部の内側壁上には被覆層がそれぞれ設けられ、
前記外カバーは、上部開口を備えた箱体から構成され、前記外カバーの底部上方には少なくとも一つの発光体が設けられ、底部および各内側面上には主可視光層が設けられ、前記主可視光層の面積は前記発光体の投影面積をカバーする面積とし、前記主可視光層と前記被覆層が設けられた発光体との間には適当な距離が設けられ、前記距離は発光体が生成する紫外線または青色光が前記主可視光層上を照射して可視光を生成し、前記可視光が前記被覆層に遮蔽されないのに十分な距離であることを特徴とする紫外線または青色光の放電発光管を備える発光部材の輝度改善構造。
【請求項３４】
前記被覆層は、光反射層であることを特徴とする請求項３３記載の紫外線または青色光の放電発光管を備える発光部材の輝度改善構造。
【請求項３５】
前記光反射層には、複数の孔が設けられ、前記複数の孔の部分には蛍光剤層または燐光層が塗布されることを特徴とする請求項３４記載の紫外線または青色光の放電発光管を備える発光部材の輝度改善構造。
【請求項３６】
前記被覆層は、蛍光剤層または燐光層であることを特徴とする請求項３３記載の紫外線または青色光の放電発光管を備える発光部材の輝度改善構造。
【請求項３７】
前記被覆層の下方には、複数の孔を備える光反射層が設けられることを特徴とする請求項３６記載の紫外線または青色光の放電発光管を備える発光部材の輝度改善構造。
【請求項３８】
前記被覆層は、複数の孔を備える光反射層であって、前記複数の孔の部分には蛍光剤層または燐光層が塗布されることを特徴とする請求項３３記載の紫外線または青色光の放電発光管を備える発光部材の輝度改善構造。
【請求項３９】
前記主可視光層は、蛍光剤層、燐光層または内側面に蛍光剤層または燐光層が塗布された光反射層であることを特徴とする請求項３３から３８のいずれか１項記載の紫外線または青色光の放電発光管を備える発光部材の輝度改善構造。
【請求項４０】
前記外カバーの底部の横断面は、錐形断面、円弧断面、多辺断面または連続した円弧断面であることを特徴とする請求項３９記載の紫外線または青色光の放電発光管を備える発光部材の輝度改善構造。
【請求項４１】
前記発光体の断面は、円形断面、半円形断面、三角形断面、矩形断面または多辺形断面であることを特徴とする請求項４０記載の紫外線または青色光の放電発光管を備える発光部材の輝度改善構造。
【請求項４２】
前記発光体の形状は、真っ直ぐな棒状の管体、Ｕ字型の管体、環状の管体または複数の湾曲部を備える管体であることを特徴とする請求項４１記載の紫外線または青色光の放電発光管を備える発光部材の輝度改善構造。
【請求項４３】
前記外カバーの外周面上には、紫外線吸収カバーが設けられることを特徴とする請求項４２記載の紫外線または青色光の放電発光管を備える発光部材の輝度改善構造。
【請求項４４】
前記発光体は、石英ガラスの基材から製造されることを特徴とする請求項４３記載の紫外線または青色光の放電発光管を備える発光部材の輝度改善構造。
【請求項４５】
発光体および外カバーを備え、
前記発光体は、紫外線または青色光を生成する棒状の管体から構成され、前記発光体の上方周面には被覆層が設けられ、
前記外カバーは、非中空の透明ベース台から構成され、前記非中空の透明ベース台の上表面には前記発光体が固定され、底部周面には主可視光層が設けられ、前記主可視光層の面積は前記発光体の投影面積をカバーする面積とし、前記主可視光層と前記被覆層が設けられた発光体との間には適当な距離が設けられ、前記距離は発光体が生成する紫外線または青色光が前記主可視光層上を照射して可視光を生成し、前記可視光が前記被覆層に遮蔽されないのに十分な距離であることを特徴とする紫外線または青色光の放電発光管を備える発光部材の輝度改善構造。
【請求項４６】
前記被覆層は、前記発光体の上方内周面に設けられ、前記主可視光層は蛍光剤層、燐光層または内側面に蛍光剤層または燐光層が塗布された光反射層であることを特徴とする請求項４５記載の紫外線または青色光の放電発光管を備える発光部材の輝度改善構造。
【請求項４７】
前記被覆層は、光反射層であることを特徴とする請求項４６記載の紫外線または青色光の放電発光管を備える発光部材の輝度改善構造。
【請求項４８】
前記被覆層は、蛍光剤層または燐光層であることを特徴とする請求項４６記載の紫外線または青色光の放電発光管を備える発光部材の輝度改善構造。
【請求項４９】
前記被覆層は、さらに、前記蛍光剤層または燐光層の内側表面上に設けられ、複数の孔を備える光反射層を備えることを特徴とする請求項４８記載の紫外線または青色光の放電発光管を備える発光部材の輝度改善構造。
【請求項５０】
前記被覆層は、前記発光体の上方外周面に設けられ、前記主可視光層は、蛍光剤層、燐光層または内側面に蛍光剤層または燐光層が塗布された光反射層であることを特徴とする請求項４５記載の紫外線または青色光の放電発光管を備える発光部材の輝度改善構造。
【請求項５１】
前記被覆層は、光反射層であることを特徴とする請求項５０記載の紫外線または青色光の放電発光管を備える発光部材の輝度改善構造。
【請求項５２】
前記被覆層は、前記発光層を被覆する透明カバーであって、その表面には蛍光剤層または燐光層が塗布されることを特徴とする請求項５０記載の紫外線または青色光の放電発光管を備える発光部材の輝度改善構造。
【請求項５３】
前記被覆層の下方には、複数の孔を備える光反射層が設けられることを特徴とする請求項５２記載の紫外線または青色光の放電発光管を備える発光部材の輝度改善構造。
【請求項５４】
前記非中空の透明基台の外形は、半円形柱状、三角形柱状、矩形柱状または多辺形柱状であることを特徴とする請求項４５から５３のいずれか１項記載の紫外線または青色光の放電発光管を備える発光部材の輝度改善構造。
【請求項５５】
前記発光体の断面は、円形断面、半円形断面、三角形断面、矩形断面または多辺形断面であることを特徴とする請求項５４記載の紫外線または青色光の放電発光管を備える発光部材の輝度改善構造。
【請求項５６】
前記発光体および前記非中空の透明基台は、石英ガラスの基材から製造されることを特徴とする請求項５５記載の紫外線または青色光の放電発光管を備える発光部材の輝度改善構造。
【請求項５７】
前記発光部材の外周面上には、紫外線吸収カバーが設けられることを特徴とする請求項５６記載の紫外線または青色光の放電発光管を備える発光部材の輝度改善構造。
【請求項５８】
発光体および外カバーを備え、
前記発光体は、紫外線または青色光を生成する棒状の管体から構成され、前記発光体の上方周面には被覆層が設けられ、
前記外カバーは、中空の透明ベース台から構成され、前記中空の透明ベース台の上表面には前記発光体が固定され、底部周面には主可視光層が設けられ、前記主可視光層の面積は前記発光体の投影面積をカバーする面積とし、前記主可視光層と前記被覆層が設けられた発光体との間には適当な距離が設けられ、前記距離は発光体が生成する紫外線または青色光が前記主可視光層上を照射して可視光を生成し、前記可視光が前記被覆層に遮蔽されないのに十分な距離であることを特徴とする紫外線または青色光の放電発光管を備える発光部材の輝度改善構造。
【請求項５９】
前記被覆層は、前記発光体の上方内周面に設けられ、前記主可視光層は蛍光剤層、燐光層または内側面に蛍光剤層または燐光層が塗布された光反射層であることを特徴とする請求項５８記載の紫外線または青色光の放電発光管を備える発光部材の輝度改善構造。
【請求項６０】
前記被覆層は、光反射層であることを特徴とする請求項５９記載の紫外線または青色光の放電発光管を備える発光部材の輝度改善構造。
【請求項６１】
前記被覆層は、蛍光剤層または燐光層であることを特徴とする請求項５９記載の紫外線または青色光の放電発光管を備える発光部材の輝度改善構造。
【請求項６２】
前記被覆層は、さらに、前記蛍光剤層または燐光層の内側表面上に設けられ、複数の孔を備える光反射層を備えることを特徴とする請求項６１記載の紫外線または青色光の放電発光管を備える発光部材の輝度改善構造。
【請求項６３】
前記被覆層は、前記発光体の上方外周面に設けられ、前記主可視光層は、蛍光剤層、燐光層または内側面に蛍光剤層または燐光層が塗布された光反射層であることを特徴とする請求項５８記載の紫外線または青色光の放電発光管を備える発光部材の輝度改善構造。
【請求項６４】
前記被覆層は、光反射層であることを特徴とする請求項６３記載の紫外線または青色光の放電発光管を備える発光部材の輝度改善構造。
【請求項６５】
前記被覆層は、前記発光層を被覆する透明カバーであって、その表面には蛍光剤層または燐光層が塗布されることを特徴とする請求項６３記載の紫外線または青色光の放電発光管を備える発光部材の輝度改善構造。
【請求項６６】
前記被覆層の下方には、複数の孔を備える光反射層が設けられることを特徴とする請求項６５記載の紫外線または青色光の放電発光管を備える発光部材の輝度改善構造。
【請求項６７】
前記中空の透明基台の外形は、半円形柱状、三角形柱状、矩形柱状または多辺形柱状であることを特徴とする請求項５８から６６のいずれか１項記載の紫外線または青色光の放電発光管を備える発光部材の輝度改善構造。
【請求項６８】
前記中空ベース台は、完全に透明な基材から製造されることを特徴とする請求項６７記載の紫外線または青色光の放電発光管を備える発光部材の輝度改善構造。
【請求項６９】
前記中空ベース台の上表面は、完全に透明な基材から製造されることを特徴とする請求項６７記載の紫外線または青色光の放電発光管を備える発光部材の輝度改善構造。
【請求項７０】
前記発光体の断面は、円形断面、半円形断面、三角形断面、矩形断面または多辺形断面であることを特徴とする請求項６７記載の紫外線または青色光の放電発光管を備える発光部材の輝度改善構造。
【請求項７１】
前記発光体および前記中空の透明基台は、石英ガラスの基材から製造されることを特徴とする請求項７０記載の紫外線または青色光の放電発光管を備える発光部材の輝度改善構造。
【請求項７２】
前記発光部材の外周面上には、紫外線吸収カバーが設けられることを特徴とする請求項７１記載の紫外線または青色光の放電発光管を備える発光部材の輝度改善構造。
【請求項７３】
少なくとも一つの発光体および少なくとも一つの外カバーから構成され、
前記少なくとも一つの発光体は、紫外線または青色光を生成する棒状の管体から構成され、前記発光体の上方外側には被覆層が設けられ、
前記少なくとも一つの外カバーは、凹状の円弧柱形のベース台が並列に接続されて構成され、前記外カバーの開口部には前記発光体が固定され、前記外カバーの円弧壁上には主可視光層が設けられ、前記主可視光層の面積は前記発光体の投影面積をカバーする面積とし、前記主可視光層と前記被覆層が設けられた発光体との間には適当な距離が設けられ、前記距離は発光体が生成する紫外線または青色光が前記主可視光層上を照射して可視光を生成し、前記可視光が前記被覆層に遮蔽されないのに十分な距離であることを特徴とする紫外線または青色光の放電発光管を備える発光部材の輝度改善構造。
【請求項７４】
前記被覆層は、複数の孔を備える光反射層であって、前記複数の孔上には蛍光剤層または燐光層が塗布されることを特徴とする請求項７３記載の紫外線または青色光の放電発光管を備える発光部材の輝度改善構造。
【請求項７５】
前記被覆層は、透明カバー板および複数の孔を備える光反射層を備え、
前記透明カバー板は、前記発光体を被覆し、上面に蛍光剤層または燐光層が塗布され、
前記光反射層は、前記透明カバー板の下方に設けられることを特徴とする請求項７３記載の紫外線または青色光の放電発光管を備える発光部材の輝度改善構造。
【請求項７６】
前記発光体の側部には、透明基材から製造されたカバー板が設けられることを特徴とする請求項７３から７５のいずれか１項記載の紫外線または青色光の放電発光管を備える発光部材の輝度改善構造。
【請求項７７】
前記発光部材の外周面上には、紫外線吸収カバーが設けられることを特徴とする請求項７６記載の紫外線または青色光の放電発光管を備える発光部材の輝度改善構造。
【考案の詳細な説明】
【技術分野】
【０００１】
本考案は、紫外線または青色の放電発光管を備える発光部材の輝度改善構造に関し、特に紫外線または青色の放電発光管光源を備え、蛍光灯などの発光部材の輝度を高めることができる発光部材の輝度改善構造に関する。
【背景技術】
【０００２】
蛍光照明灯具などの一般の発光部材の輝度は、設けられた発光体の照明強度によって決定される。大多数の従来技術における発光体は、内部の周面に完全に密封された蛍光剤層が設けられ、例えば蛍光灯の場合、ガラス灯管の全内周側には蛍光剤層が塗布され、両端の電極による放電によって紫外線を発光し、紫外線がガラス灯管に設けられた蛍光剤層上に照射される、蛍光剤層が励起されて発光する。蛍光剤は以下の二種の特性を備える。
１  蛍光剤層は、一定の厚さを備え、その表面は紫外線が照射されたとき可視光が発生するが、紫外線は表層から深層（または裏層）に照射されるので、紫外線の強度は徐々に弱くなり、深層において生成された可視光は表層よりも弱く、深層の発光が暗くなり、表層の発光が明るくなる構造となる。つまり、蛍光剤は層が厚くなればなるほど、その輝度はより低下する。
２  蛍光層は、良好な透明体ではないので、可視光の透過率に大きな影響を与え、可視光強度を弱くしてしまい、表層において発生した可視光が深層を通過するとき、その輝度は低下してしまう。
【０００３】
つまり、図１に示すように、従来技術の蛍光灯１は管体内壁全体に蛍光剤層２が塗布され、管内の紫外線照射によって可視光が発生するので、管内の蛍光剤層の内面の輝度は外面よりも高い。しかし、照明輝度は管体外面を主とし、つまり、蛍光灯の照明輝度は深層発光を主とするので、好適な輝度が得られない。また、管内表層が発光して発生した可視光は蛍光剤層を通過して管外に到達するとき、透過性の優れない透明体（即ち蛍光剤が塗布された灯管）によって輝度が低下する状況が発生する。つまり、従来技術による蛍光灯には上述のように蛍光剤によってもたらされる輝度が低下し、発光効率が優れないという問題が存在する。
【０００４】
図２に示すように、上述の灯管１’の管体内壁の半分に蛍光剤層２を塗布し、残りの半分の部分に透明構造を設け、蛍光剤層が紫外線の照射を受けた後、蛍光剤層によって発生した可視光（表層発光）は透明構造から放出され、輝度が低下する問題を防止する構造が考えられる。しかし、紫外線は透明構造から直接放出されるので、一般の灯管によって大部分の紫外線は除去されるが、残りの紫外線が人体に直接照射され、使用者の目や皮膚に傷害を与える。従って、この方法によって発光部材の輝度を高めることは好ましくない。また、蛍光剤によって紫外線が可視光に変換されずに放出されるので、一部の紫外線エネルギーが無駄となるが、仮に前述の一部の紫外線を利用できるなら、発光部材の輝度を大幅に高めることができる。
【０００５】
図１、２に示すように、仮に蛍光剤層の表層の発光によって発生する可視光の輝度を１．０とした場合（図２に示す）、図１に示す蛍光灯は、外部から見た場合の輝度は深層発光に管内の表層発光が蛍光剤層を通過した光を足した０．９しかない。図２の他側においては、深層発光によって発生した輝度が紫外線エネルギーの浪費によって０．４７しか残されない。故に、仮に図１に示す蛍光灯１を発光部材の発光体とした場合、図３に示すように蛍光灯１が箱体３の開放面部分に設置されたものや、図４に示すように、蛍光灯１が弧形柱状のベース台４内に設置されるものがあり、箱体３または弧形柱状のベース台４には光反射板５が設けられているが、蛍光灯１は深層発光が０．９であるので、発光部材の発光効率は優れない。
【０００６】
上述の欠点に鑑み、本考案の考案者は上述の発光部材における輝度不足の問題を解決するために、弛まぬ努力と研究開発を行い、輝度が１．０よりも高い本考案をついに案出した。
【特許文献１】特開２００６−１３５２２５号公報
【考案の開示】
【考案が解決しようとする課題】
【０００７】
本考案の主な目的は、紫外線または青色の放電発光管を備える発光部材の輝度改善構造を提供することにある。
【課題を解決するための手段】
【０００８】
上述の課題を解決するために、本考案は、発光体および外カバーを備え、発光体は、紫外線または青色光を発生させることができる棒状の管体から構成され、発光体の上方周面部分には被覆層が設けられ、外カバーは、棒状の発光体の外周に巻設された棒状の管体から構成され、発光体の被覆層が設けられた位置に相対する下方の内円周面部分には主可視光層が設けられ、発光体が生成する紫外線または青色光が直接外カバーの主可視光層を励起して可視光が生成され、発光体の被覆層によって紫外線が人体に傷害をもたらすのを防ぐことができ、同時に本来浪費されていた紫外線または青色光を利用して可視光を発生させ、輝度を高めることができるというものである。
【考案の効果】
【０００９】
発光体が生成する紫外線または青色光が直接外カバーの主可視光層を励起して可視光が生成され、発光体の被覆層によって紫外線が人体に傷害をもたらすのを防ぐことができ、同時に本来浪費されていた紫外線または青色光を利用して可視光を発生させるので、輝度を高めることができる。
【考案を実施するための最良の形態】
【００１０】
本考案の目的、特徴および効果を示す実施例を図に沿って詳細に説明する。
【００１１】
図５、６、７は本考案の第１の実施例を示す図であり、発光部材の輝度改善構造は、発光体１０および外カバー２０を備える。発光体１０は紫外線または青色光を発生させることができる棒状の管体から構成され、発光体１０の上方内周面には被覆層１１が設けられ、本実施例においてはこの被覆層１１は光反射層である。外カバー２０は発光体１０の外周を囲む棒状の管体であり、発光体１０の被覆層１１が設けられた位置に相対する下方の内周面には主可視光層２１が設けられ、主可視光層１１は蛍光剤層または燐光層である。
【００１２】
故に、電力駆動を受けて発光体１０が紫外線または青色光を生成したとき、紫外線または青色光は被覆層１１が設置されていない一側から外カバー２０に設けられた主可視光層２１上に直接照射され、同時に主可視光層２１を励起して可視光を放出する。その可視光は外カバー２０の主可視光層２１が設けられていない一側から外部に放出され、表層発光であるので、輝度が顕著に減少する問題は発生しない。また、発光体１０の外カバー２０に設けられた主可視光層２１と異なる一側には光反射層によって構成された被覆層１１が設けられるので、被覆層１１は発光体１０から放出される紫外線が直接外部に放出されて人体の健康に害を与えるのを防ぐことができる以外に、発光体１０から放出される上方向への紫外線または青色光は光反射層によって外カバー２０に設けられた主可視光層２１上に反射されるので、主可視光層２１は全てのエネルギーの紫外線または青色光を受けることができ、励起されて輝度が最大の可視光が発生する。本実施例の可視光の強度は理論上は２．０であるが、実際は光反射層の反射率は約０．８５であり、光反射層遮蔽の二回または三回の反射が加わるので、最終の強度は約１．６となるが、第１の実施例の発光部材は極めて優れた照明輝度を備える。
【００１３】
本考案の考案者は、以下に示す各実施例の可視光強度がすべて従来技術の１．０以上であることを強調する。被覆層１１が設けられた発光体１０が外カバー２０に設けられた主可視光層２１の上方に設けられるので、本考案が発光部材の照明輝度を高めるために、主可視光層２１の面積は発光体１０が主可視光層２１に投影する面積よりも顕著に大きい必要があり、主可視光層２１と被覆層１１が設けられた発光体１０との間には適当な距離を備える必要がある。基本的にその距離は発光体１０が生成する紫外線または青色光が主可視光層２１を十分に照射し、可視光を発生させ、その可視光が被覆層１１に遮蔽されないのに十分な距離である必要がある。
【００１４】
また、発光体１０の上方内周面に設置され、光反射層から構成される被覆層１１は、当然、蛍光剤層または燐光層から構成することもでき、発光体１０が生成する紫外線または青色光が被覆層１１および主可視光層２１に同時に照射され、表層発光の形態で可視光を発生させるだけでなく、被覆層１１部分から上方に深層発光を発生させることもできる。
【００１５】
また、仮に被覆層１１が蛍光剤層または燐光層から構成されたとき、図８に示すように、被覆層１１の下方部分に複数の孔１５を備える光反射層１６を設置することができ、紫外線または青色光を主可視光層２１に反射させて可視光を発生させる機能と、紫外線および青色光を複数の孔１５から直接蛍光剤層または燐光層部分に進入させて上方に深層発光を発生させる機能とを同時に備えさせることができる。
【００１６】
図９は、第１の実施例の発光部材に基づいた他の実施例を示す図であり、図から分かるように、主可視光層２１が先ず光反射層２２上に塗布され、その後光反射層２２が外カバー２０の下方の内円周面上に固定され、主可視光層２１の深層発光による下方への可視光放出を阻止する。また、外カバー２０の外円周面上には紫外線吸収カバー９０が設けられ、外部に放出される紫外線を吸収する機能を提供する。
【００１７】
上述の実施例は、本考案の一実施例の構造を示すものであり、当該技術に熟知するものは本構造を実施するとき同等の変更を行うことができ、例えば、円形断面発光体１０を半円形断面発光体１２（図１０に示す）、三角形断面発光体１３（図１１に示す）、矩形断面発光体１４（図１２に示す）またはその他の多辺形断面発光体の管体構造とすることができる。同様に、円形断面の外カバー２０も、半円形断面外カバー、三角形断面外カバー、矩形断面外カバーまたはその他の多辺形断面外カバーの管体構造（図示せず）とすることができ、これらの構造は当該技術に熟知するものは容易に推測できる構造であるので、これらの変更は全て本考案の保護範囲に含まれ、これらの構造の発光部材は第１の実施例の発光部材と完全に同一の構造技術であるので、これ以上の説明は行わない。
【００１８】
図１３は第１の実施例の発光部材に基づいた他の実施例を示す図であり、図からわかるように、上述の実施例と異なる部分は、本来、発光体１０上方内周面に設けられていた被覆層１１が発光体１０上方外周面に設けられている点である。本実施例は、発光体１０上方外周面に設けられた被覆層１１は光反射層であって、光反射層は紫外線または青色光を外カバー２０方向にさらに反射させ、外カバー２０上の主可視光層２１には強度がさらに強い紫外線が照射されて可視光が発生するので、全ての紫外線または青色光を表層発光させることができ、発光部材の輝度をさらに増強させることができる。
【００１９】
また、発光体１０上方外周面に設けられ、光反射層から構成される被覆層１１には当然複数の孔を設置し、その複数の孔の部分に蛍光剤層または燐光層を塗布し（図示せず）、被覆層１１は、紫外線または青色光を完全に主可視光層２１に反射させて可視光を発生させる効果以外に、紫外線または青色光を複数の孔の部分に設けられた蛍光剤層または燐光層に通過させ、深層発光を行なわせる機能も備えることができる。図１４に示すように、当然、被覆層１１は蛍光剤層または燐光層が塗布された透明カバー１７から構成することができ、被覆層１１は表面発光および深層発光を同時に行う機能を備えることもできる。また、蛍光剤層または燐光層が設けられた透明カバー１７下方には、当然、複数の孔を備える光反射層をさらに設けたり、または透明カバー１７上に直接複数の孔を備える光反射層を塗布したりすることができ、複数の孔の部分に蛍光剤層または燐光層が塗布され（図示せず）、紫外線または青色光を完全に主可視光層２１に反射させて可視光を発生させる効果以外に、紫外線または青色光を複数の孔の部分に設けられた蛍光剤層または燐光層に通過させ、深層発光を行わせる機能も備えることができる。
【００２０】
図１５は、第１の実施例の発光部材に基づいた他の実施例を示す図であり、本実施例は本来真っ直ぐな棒状の管体であった第１の実施例の発光部材をＵ字型に湾曲させたものである。構造技術に関しては如何なる変更もなく、その全体の形状を変更しただけのものであるので、その目的効果は第１の実施例と完全に同一である。同様に、本来真っ直ぐな棒状の管体の発光部材の形状を図１６に示すような環状の管体にしたり、図１７に示すような平面螺旋状の管体にしたり、図１８に示すような立体螺旋状の管体にしたり、図１９に示すような円錐螺旋状の管体にすることができ、これらの異なる外形の発光部材は第１の実施例の発光部材と完全に同一の構造、技術および効果であるのでこれ以上の説明は行わない。
【００２１】
また、図２０は本考案の第２の実施例を示し、第２の実施例の発光部材は、発光体３０および外カバーから構成される。発光体３０は紫外線または青色光を発生させることができる棒状の管体から構成され、発光体３０の上方内周面には被覆層３１が設けられ、第１の実施例に示すように、被覆層３１は光反射層から構成される。外カバー４０は上部開口を備える箱体から構成され、箱体の各内側面上には主可視光層４１がそれぞれ設けられ、第１の実施例に示すように、主可視光層４１は蛍光剤層または燐光層とすることができ、当然、蛍光剤層または燐光層の外側には光反射層を設けて深層発光による外側への可視光放射を阻止できる。本実施例において、図から分かるように、発光体３０は屈曲した管体から構成されると共に、箱型の外カバー４０に設けられた上部開口内部に設置される。また、第１の実施例に示すように、発光体３０上方内周面の被覆層３１は、当然蛍光剤層または燐光層から構成したり、蛍光剤層または燐光層が塗布された下方側にさらに複数の孔を備える光反射層を設けて構成したりすることができる。
【００２２】
発光体３０が生成する紫外線または青色光は、被覆層３１および主可視光層４１上に照射されて全ての紫外線または青色光が主可視光層４１上を励起して上方への表層発光を行うので、第２の実施例の発光部材は第１の実施例と完全に同一の技術および効果を備える。つまり、第２の実施例の発光部材の輝度は図３に示すような従来技術の発光部材よりも優れる。
【００２３】
図２１は、図２０の実施例に基づいた他の実施例の発光部材を示す断面図である。図２０と異なる点は、被覆層３１が発光体３０の上方外側周面に設置されている点だけである。第１の実施例に示すように、被覆層３１は光反射層、複数の孔を備え、複数の孔の部分に蛍光剤層または燐光層が設けられた光反射層、表面に蛍光剤層または燐光層が塗布された透明カバー、蛍光剤層または燐光層が塗布された透明カバーの下側にさらに複数の孔を備える光反射層が設けられたもの、又は透明カバー上に孔を備える光反射層が直接塗布され、孔の部分に蛍光剤層または燐光層が塗布された構造のものとすることができる。
【００２４】
また、第１の実施例に示すように、外カバー４０に設けられた上部開口部分の発光体３０は、円形断面、半円形断面、三角形断面、矩形断面または多辺形断面の管体から構成することができる以外、真っ直ぐな棒状の管体、Ｕ字型管体または環状管体などの形状にすることができる。
【００２５】
また、箱型の外カバーの底部の横断面は、図２２に示すような錐形断面、図２３に示すような円弧断面、図２４に示すような多辺断面または図２５に示すような連続した円弧断面とすることができる。
【００２６】
また、上述の実施例は当然、２以上の発光体３０から構成することができ、本考案の照明輝度を高める効果を達成するために、図２６に示すように、各発光体３０の上方には先ず一体成型された透明カバー４５が設置され、透明カバー４５には各発光体３０を被覆し、上方に突出した少なくとも一つの収容凹部４６が設けられる以外に、各収容凹部の内側壁上には被覆層４７がそれぞれ設けられる。第１の実施例に示すように、被覆層４７は、光反射層、複数の孔を備えて複数の孔の部分に蛍光剤層または燐光層が設けられた光反射層、蛍光剤層または燐光層、蛍光剤層または燐光層の下側にさらに複数の孔を備える光反射層が設けられたもの、又は複数の孔を備える光反射層が塗布され、複数の孔の部分に蛍光剤層または燐光層が塗布された構造のものとすることができる。
【００２７】
図２７は、本考案の第３の実施例を示し、第３の実施例の発光部材は、発光体５０および外カバー６０から構成され、外カバー６０は半円形柱状の非中空透明ベース台から構成され、非中空の透明ベース台の外周面上には主可視光層６１が設けられ、発光体５０は紫外線または青色光を発生させることができる矩形断面の棒状の管体から構成される。発光体５０は非中空透明ベース台の水平表面上に設置され、発光体５０の上方内周面上には光反射層から構成される被覆層５１が設けられる。
【００２８】
また、第１の実施例に示すように、発光体５０上方内周面に設置された被覆層５１は当然、蛍光剤層または燐光層から構成したり、蛍光剤層または燐光層が塗布された下方側にさらに複数の孔を備える光反射層を設けて構成したりすることができる。
【００２９】
上述の実施例は本考案の一実施例の構造を示すものであり、当該技術に熟知するものは本構造を実施するとき同等の変更を行うことができ、例えば、矩形断面発光体５０を半円形断面発光体５２（図２８に示す）、三角形断面発光体５３（図２９に示す）、またはその他の多辺形断面発光体の管体構造とすることができる。これらの構造は当該技術に熟知するものは容易に推測できる構造であるので、これらの変更は全て本考案の保護範囲に含まれ、これらの構造の発光部材は第３の実施例の発光部材と完全に同一の構造技術であるので、これ以上の説明は行わない。
【００３０】
当然、図３０に示すように、上述の実施例の発光体５０は円形断面発光体５４によって構成することができるが、円形断面発光体５４が生成する紫外線は下方の側部から放出される可能性があるので、円形断面発光体５４の外側には円形断面発光体５４を完全に被覆できる光反射層５５を直接設置する必要があり、それによって円形断面発光体５４が紫外線を生成したとき、紫外線は光反射層５５によって反射され、主可視光層６１上に照射され、輝度の高い表層発光状態が形成される。当然、第１の実施例に示すように、光反射層上には複数の孔を設置し、複数の孔上に蛍光剤層または燐光層を塗布することができる。また、図３１に示すように、図３０に示す光反射層５５を円形断面発光体５４を完全に被覆する透明カバー５６に変更することができ、透明カバー５６上全体に蛍光剤層５６１が塗布された構造や、蛍光剤層５６１が一部塗布され、残りの部分に光反射層５６２が貼設される構造とすることができ、これらの構造によって、発光部材の輝度を増強させることができる。また、第１の実施例に示すように、蛍光剤または燐光剤が塗布された透明カバーの下側に複数の孔を備える光反射層がさらに設置された構造や、透明カバー上に孔を備える光反射層が塗布され、孔部分に蛍光剤層または燐光層が同時に塗布された構造にすることができる。
【００３１】
また、上述の第３の実施例において開示された非中空の透明ベース台の外カバー６０を図３２に示すような中空ベース台の外カバー６２に換えることができ、中空ベース台の外カバー６２は完全に透明な材質から構成する以外に、水平表面だけを透明の材質から構成することができる。基本的に、中空ベース台の外カバー６２に設けられた主可視光層６１は中空ベース台の外カバー６２の内側周面上に塗布されるが、仮に中空ベース台の外カバー６２が完全に透明なとき、主可視光層６１は中空ベース台の外カバー６２の外側周面上に塗布することができる。これらの構造は当該技術に熟知するものは容易に推測できる構造であるので、これらの変更は全て本考案の保護範囲に含まれ、これらの構造の発光部材は上述の実施例の発光部材と完全に同一の構造技術であるので、これ以上の説明は行わない。
【００３２】
図３３、３４は本考案の第４の実施例を示し、主に複数の発光体７０および複数の外カバー８０から構成され、発光体７０の真上には複数の孔７１を備える光反射層７２が設けられ、光反射層７２は複数の孔７１部分に蛍光剤層または燐光層が塗布される以外に、光反射層７２は透明カバー板７３上に貼設される。また、仮に複数の孔７１に蛍光剤層が塗布されない場合、透明カバー板７３に蛍光剤層または燐光層を塗布する必要があり、発光体７０が生成する紫外線が複数の孔７１から放出され、人体に直接照射されるのを防止する。本実施例の発光部材は、光反射層７２および透明カバー板７３を備える発光体７０が透明基材から製造され、その内側壁部分に主可視光層８１が塗布された円弧柱形外カバー８０上に設置される以外に、発光体７０の側部には透明基材から製造されたカバー板８２が設けられる。従って、発光体７０が紫外線または青色光を生成するとき、紫外線または青色光は光反射層７２に反射され、円弧柱形外カバー８０に設けられた主可視光層８１上に照射され、上方への表層発光状態が形成され、カバー板８２によって上方に伝達される。光反射層７２に設けられた複数の孔７１から上方に放出された光線は、複数の孔７１上に塗布された蛍光剤層または燐光層を透過するにしても、透明カバー板７３に塗布された蛍光剤層または燐光層を透過するにしても、深層発光状態を形成する。本実施例の発光部材は発生される表層発光を直接外部に放出することができるので、本実施例は照明輝度を高める効果を達成できる。
【００３３】
上述の実施例において、光反射層７２が設けられた複数の孔７１から上方に放出される深層発光は、光反射層７２と発光体７０との間に存在する距離の遠近によって輝度が異なる。つまり、仮に同一の光反射層７２の場合、光反射層７２と発光体７０との間の距離が遠いとき、光反射層７２に設けられた複数の孔７１を透過して上方に放出される深層発光の輝度は比較的低く、反対に、光反射層７２と発光体７０との間の距離が近いとき、光反射層７２に設けられた孔７１を透過して上方に放出される深層発光の輝度は比較的高い。従って、使用者は光反射層７２に設けられた複数の孔７１の孔径および複数の孔７１の設置密度を調整することによって発光部材の輝度が不均衡になる問題を克服できる。
【００３４】
図３５は、上述の実施例の構造を第２の実施例の発光部材に使用したときの構造を示す図である。つまり、図３３に示す発光体を第２の実施例に示す箱体外カバー４０に設置して形成された発光部材の構造を示す図である。
【００３５】
図３６は、本考案の発光部材を液晶ディスプレイのバックライトモジュールの横方向の光源に使用した構造を示す図である。図から分かるように、発光体１５０が紫外線を放出したとき、紫外線は被覆層１５１の反射機能によって発光部材に設けられた外カバー１６０に設けられた主可視光層１６１上に完全に照射され、主可視光層１６１は蛍光剤層または燐光層から構成されるので、紫外線は主可視光層を励起して右向きに照射する可視光を生成し、その可視光は表層発光形態であるので、極めて優れた輝度を備える。可視光は発光部材右側に設けられた紫外線吸収カバー１７０を透過した後、発光部材右側に設けられた導光板１８０に沿って液晶ディスプレイの背面に伝達され、照明として使用される。
【００３６】
本考案は紫外線または青色光を生成できる発光体が採用され、紫外線が周囲の環境または物品に悪影響を及ぼすのを防ぐために、本考案の各実施例の可視光が外部に放出される部分には紫外線吸収カバーを設置して残存する紫外線を吸収して可視光を透過させることができる。また、本考案において開示された各部材が紫外線を透過させる必要がある場合、紫外線透過可能な材質（例えば、無水シリカガラス、合成石英ガラスまたはボロンシリケートガラス）から製造する必要がある。
【００３７】
以上の詳細な説明は本考案の好適な実施例を示しただけのものであり、本考案の実施範囲を限定するものではなく、同等効果の変更および修飾は全て本考案の範囲に含まれる。
【図面の簡単な説明】
【００３８】
【図１】従来技術による蛍光灯発光部材の照明輝度を示す断面図である。
【図２】従来技術による蛍光灯発光部材の照明輝度を示す断面図である。
【図３】従来技術による蛍光灯が箱体の反射カバー体に設置されたものを示す断面図である。
【図４】従来技術による蛍光灯が弧形柱状のベース台内に設置されたものを示す断面図である。
【図５】本考案の第１の実施例による発光部材の構造を示す横断面図である。
【図６】本考案の第１の実施例による発光部材を示す一部断面斜視図である。
【図７】本考案の第１の実施例による発光部材を示す断面図である。
【図８】図７に示す実施例による発光部材に基づく他の実施形態を示す断面図である。
【図９】本考案の第１の実施例に基づく他の実施形態を示す断面図である。
【図１０】本考案の第１の実施例に属する他の実施形態を示す断面図である。
【図１１】本考案の第１の実施例に属する他の実施形態を示す断面図である。
【図１２】本考案の第１の実施例に属する他の実施形態を示す断面図である。
【図１３】本考案の第１の実施例による発光部材に属する他の実施形態を示す断面図である。
【図１４】図１３に示す実施例による発光部材に基づく他の実施例を示す断面図である。
【図１５】本考案の第１の実施例による発光部材の外観形状を示す斜視図である。
【図１６】本考案の第１の実施例による発光部材の他の外観形状を示す上面図である。
【図１７】本考案の第１の実施例による発光部材の他の外観形状を示す上面図である。
【図１８】本考案の第１の実施例による発光部材の他の外観形状を示す斜視図である。
【図１９】本考案の第１の実施例による発光部材の他の外観形状を示す一部断面側面図である。
【図２０】本考案の第２の実施例による発光部材を示す斜視図である。
【図２１】本考案の第２の実施例による発光部材の他の実施形態を示す断面図である。
【図２２】本考案の第２の実施例による発光部材に設けられた外カバーの実施可能な形状を示す断面図である。
【図２３】本考案の第２の実施例による発光部材に設けられた外カバーの実施可能な形状を示す断面図である。
【図２４】本考案の第２の実施例による発光部材に設けられた外カバーの実施可能な形状を示す断面図である。
【図２５】本考案の第２の実施例による発光部材に設けられた外カバーの実施可能な形状を示す断面図である。
【図２６】本考案の第２の実施例による発光部材に属する他の実施形態を示す断面図である。
【図２７】本考案の第３の実施例による発光部材を示す断面図である。
【図２８】本考案の第３の実施例に属する他の実施形態を示す断面図である。
【図２９】本考案の第３の実施例に属する他の実施形態を示す断面図である。
【図３０】本考案の第３の実施例に属する他の実施形態を示す断面図である。
【図３１】本考案の第３の実施例に属する他の実施形態を示す断面図である。
【図３２】本考案の第３の実施例に属する他の実施形態を示す断面図である。
【図３３】本考案の第４の実施例による発光部材に設置される発光体を示す斜視図である。
【図３４】本考案の第４の実施例による発光部材を示す斜視図である。
【図３５】本考案の第２の実施例による発光部材に属する他の実施形態を示す斜視図である。
【図３６】本考案の発光部材を液晶ディスプレイのバックライトモジュールに使用したときの状態を示す断面図である。
【符号の説明】
【００３９】
１０、３０、５０、７０、１５０  発光体
１１、３１、５１、１５１  被覆層
１２、５２  半円形断面発光体
１３、５３  三角形断面発光体
１４  矩形断面発光体
１５、７１  複数の孔
１６、２２、５５、５６２、７２  光反射層
１７、５６  透明カバー
２０、４０、６０、１６０  外カバー
２１、４１、６１、８１、１６１  主可視光層
５４  円形断面発光体
５６１  蛍光剤層
６２  中空ベース台外カバー
７３  透明カバー板
８０  円弧柱形外カバー
８２  カバー板
９０、１７０  紫外線吸収カバー
１８０  導光板
【図１】
0003125950.tif 000003
【図２】
0003125950.tif 000004
【図３】
0003125950.tif 000005
【図４】
0003125950.tif 000006
【図５】
0003125950.tif 000007
【図６】
0003125950.tif 000008
【図７】
0003125950.tif 000009
【図８】
0003125950.tif 000010
【図９】
0003125950.tif 000011
【図１０】
0003125950.tif 000012
【図１１】
0003125950.tif 000013
【図１２】
0003125950.tif 000014
【図１３】
0003125950.tif 000015
【図１４】
0003125950.tif 000016
【図１５】
0003125950.tif 000017
【図１６】
0003125950.tif 000018
【図１７】
0003125950.tif 000019
【図１８】
0003125950.tif 000020
【図１９】
0003125950.tif 000021
【図２０】
0003125950.tif 000022
【図２１】
0003125950.tif 000023
【図２２】
0003125950.tif 000024
【図２３】
0003125950.tif 000025
【図２４】
0003125950.tif 000026
【図２５】
0003125950.tif 000027
【図２６】
0003125950.tif 000028
【図２７】
0003125950.tif 000029
【図２８】
0003125950.tif 000030
【図２９】
0003125950.tif 000031
【図３０】
0003125950.tif 000032
【図３１】
0003125950.tif 000033
【図３２】
0003125950.tif 000034
【図３３】
0003125950.tif 000035
【図３４】
0003125950.tif 000036
【図３５】
0003125950.tif 000037
【図３６】
0003125950.tif 000038